(57)【要約】【課題】経由地の追加操作性を向上させたナビゲーション装置を提供する。【解決手段】カーナビゲーション装置は、地図を表示する表示モニタ８と、入力された出発地と経由地と目的地とに基づいて経路を探索する経路探索装置とを備える。地図を表示したまま経由地追加画面２０３を合わせて表示する。地図上で追加する経由地を特定し、経由地追加画面の追加欄を選択すると、その追加欄に特定された地点が表示される。【選択図】図５
2011203274.tif 000002
【特許請求の範囲】
【請求項１】
地図を表示する表示装置と、
入力された出発地と経由地と目的地とに基づいて経路を探索する経路探索手段と、
前記表示装置に表示されている経由地追加画面から前記経由地を追加する経由地追加手段と、
前記地図が表示されている前記表示装置に前記経由地追加画面を合わせて表示する表示制御装置とを備えることを特徴とするナビゲーション装置。
【請求項２】
請求項１記載のナビゲーション装置において、
前記地図上で特定の地点を指示する指示装置と、
前記経由地追加画面に設けられた複数の経由地追加欄のいずれかを選択する選択装置と、
前記表示装置に前記地図と前記経由地追加画面とを表示したまま、前記指示装置で指示した特定の地点を、前記選択装置で選択した前記経由地追加欄に追加する追加制御手段とをさらに備えることを特徴とするナビゲーション装置。
【請求項３】
請求項１または２記載のナビゲーション装置において、
前記地図の縮尺変更を指示する地図縮尺変更指示装置と、
前記表示装置に前記地図と経由地追加画面とを表示している際に前記地図縮尺変更指示装置から縮尺変更の指示がなされたとき、前記表示装置に表示されている地図の縮尺を変更する縮尺変更手段とをさらに備えることを特徴とするナビゲーション装置。
【請求項４】
入力された出発地と経由地と目的地とに基づいて経路を探索する経路探索手順と、
経由地追加が指示されたことを判別する追加判別手順と、
前記表示装置に地図が表示されているときに前記経由地追加の指示が判別されると、前記地図とともに前記経由地追加画面を合わせて表示する表示手順とを有する経路探索プログラム。
【請求項５】
請求項４記載の経路探索プログラムにおいて、
前記地図上で特定の地点が指示されたことを判別する指示判別手順と、
前記経由地追加画面に設けられた複数の経由地追加欄のいずれが選択されたかを判別する選択判別手順と、
前記表示装置に前記地図と前記経由地追加画面とを表示したまま、前記指示判別手順で判別された特定の地点を、前記選択判別手順で判別された経由地追加欄に追加する追加制御手順とをさらに有する経路探索プログラム。
【請求項６】
請求項４または５記載の経路探索プログラムにおいて、
前記地図の縮尺変更の指示を判別する縮尺指示判別手段と、
前記表示装置に前記地図と経由地追加画面とを表示している際に前記縮尺指示判別手段が縮尺変更の指示を判別したとき、前記表示装置に表示されている地図の縮尺を変更する縮尺変更手順とをさらに有する経路探索プログラム。
【発明の詳細な説明】
【技術分野】
【０００１】
本発明は、経路探索により設定されたルートにしたがって車両をナビゲーションするナビゲーション装置および経路探索プログラムに関する。
【背景技術】
【０００２】
車両位置周辺の道路地図を表示する地図表示機能、出発地から目的地までの推奨経路を演算する経路演算機能、演算された推奨経路に基づいて経路誘導を行う経路誘導機能などを備えたカーナビゲーション装置が知られている。経路演算機能は、出発地と目的地との間に新たに経由地を追加する経由地追加機能も備えている。
【発明の概要】
【発明が解決しようとする課題】
【０００３】
従来の経由地追加機能では、地図表示を中断してルート編集画面を表示し、このルート編集画面において経由地の追加を行っている。そのため、ルート上の経由地を追加する際の操作性が悪いという問題がある。とくに不慣れなルートでは追加する経由地の特定がきわめて煩雑である。
【課題を解決するための手段】
【０００４】
本発明の車載情報装置は、地図を表示する表示装置と、入力された出発地と経由地と目的地とに基づいて経路を探索する経路探索手段と、表示装置に表示されている経由地追加画面から経由地を追加する経由地追加手段と、地図が表示されている表示装置に経由地追加画面を合わせて表示する表示制御装置とを備えることを特徴とする。
【発明の効果】
【０００５】
本発明は、以上説明したように構成しているので、次のような効果を奏する。従来のように地図表示を中断してルート編集画面を表示し、このルート編集画面において経由地の追加を行う必要がなく、ルート上の経由地を追加する際の操作性が向上する。また、経由地追加作業中にも地図の縮尺を変更できるようにしたので、出発地と目的地を一画面表示し、両者の間にある経由地の特定作業が容易になる。とくに不慣れなルートでの経由地追加作業がきわめて簡単になる。
【図面の簡単な説明】
【０００６】
【図１】本発明の一実施の形態であるカーナビゲーション装置のブロック図
【図２】目的地を設定する手順を説明する画面表示
【図３】経由地を追加する手順を説明する画面表示
【図４】経由地を追加する手順を説明する画面表示
【図５】図４（ｂ）の拡大図
【図６】経由地追加画面の詳細を示す図
【図７】経由地追加の手順を説明する画面表示
【図８】経由地追加の手順を説明するフローチャート
【図９】ルート編集画面からの経由地追加の手順を説明する画面表示
【図１０】ルート編集画面からの経由地追加の手順を説明する画面表示
【図１１】プログラムを伝送媒体を介して提供する場合のブロック図である。
【発明を実施するための形態】
【０００７】
図１は本発明の一実施の形態であるカーナビゲーション装置のブロック図である。カーナビゲーション装置は、車両の走行に関する情報を提示する機能、具体的には、車両位置周辺の道路地図を表示する地図表示機能、出発地から目的地までの推奨経路を演算する経路演算機能、演算された推奨経路に基づいて経路誘導を行う経路誘導機能などを備えている。いわゆるナビゲーションあるいは道路案内などを行う装置である。
【０００８】
図１において、１は車両の現在地を検出する現在地検出装置であり、例えば車両の進行方位を検出する方位センサ１ａ、車速を検出する車速センサ１ｂ、ＧＰＳ（Global Positioning System）衛星からのＧＰＳ信号を検出するＧＰＳセンサ１ｃ等から成る。２は道路地図データを格納する地図記憶メモリであり、道路地図データが格納された記録媒体であるＣＤ−ＲＯＭ１４およびその読み出し装置から成る。記録媒体はＣＤ−ＲＯＭに限定されず、磁気テープやＤＶＤやその他のあらゆる記録媒体であってもよい。
【０００９】
３は装置全体を制御する制御回路であり、マイクロプロセッサおよびその周辺回路から成る。制御回路３は、ＲＡＭ１３を作業エリアとしてＲＯＭ１２に格納された制御プログラムを実行して後述する各種の制御を行う。４は車両の目的地等を入力する各種スイッチを有する入力装置である。カーソルの移動や画面のスクロールを指示するジョイスティックを含む。なお、入力装置４をリモコン方式としてもよい。また、画面内にタッチパネルスイッチを設けてもよい。
【００１０】
７は表示モニタ８に表示するための画像データを格納する画像メモリであり、この画像データは道路地図描画用データや各種の図形データなどから作成される。画像メモリ７に格納された画像データは適宜読み出されて表示モニタ８に表示される。表示モニタ８上の道路地図は、表示モニタ８上に表示された縮尺ボタンを操作することにより、たとえば８段階に縮小、拡大することができる。すなわち、所望の縮尺で地図を表示することができる。
【００１１】
この発明によるナビゲーション装置には、入力された出発地と目的地とに基づいて経路を探索する経路探索機能も備えられている。出発地は車両の現在地であり、目的地と経由地は任意に設定することができる。経路探索機能は、表示モニタ８に表示されている経由地追加画面から経由地を追加する経由地追加機能も含む。経由地追加画面は複数の経由地追加欄を備え、表示モニタ８上に地図を表示しながら表示される。表示モニタ８に地図と経由地追加画面とを表示し、たとえばジョイスティックにより地図上で特定の地点を指示する。その上で、経由地追加欄のいずれかを指定すると、特定された地点名が追加欄に表示されて経由地として追加される。
【００１２】
このように構成されるカーナビゲーション装置は、現在地検出装置１により取得した自車位置情報および地図記憶メモリ２に格納されている道路地図データに基づき各種のナビゲーションを行う。例えば、自車位置近辺の道路地図および自車位置を表示モニタ８に表示し、経路探索によって得られた経路に沿ってドライバーを誘導する。
【００１３】
次に、本実施の形態のカーナビゲーション装置における目的地設定、経由地設定追加手順について図２〜図１０を参照して説明する。
（１）目的地設定、
表示モニタ８の上欄ガイダンスの「行き先設定」をジョイスティックで指示することにより図２（ａ）の画面を表示する。ジョイスティックにより画面をスクロールし、星印ＳＭを目的地に合わせる。ジョイスティックにより位置の決定を指示すると、目的地が未設定の場合には、図２（ｂ）に示すように、星印の地点に目的地マークとしてチェッカフラグＣＦを表示する。
【００１４】
（２）目的地変更
表示モニタ８の上欄ガイダンスの「行き先設定」をジョイスティックで指示することにより図２（ａ）の画面を表示する。ジョイスティックにより画面をスクロールし、星印ＳＭを目的地に合わせる。ジョイスティックにより位置の決定を指示すると、上述したように目的地が設定されている場合には、図３（ａ）の画面表示となる。図３（ａ）の画面には、「新しい行き先に設定」ボタン２０１と「現在のルートに追加」ボタン２０２が表示される。ジョイスティックにより「新しい行き先に設定」ボタン２０１を選択して決定を指示すると、図３（ｂ）の画面表示となる。これにより、先に設定されていた目的地が新しい目的地に書き換えられる。制御回路３のメモリの目的地に対応する記憶領域のデータも書き換えられる。
【００１５】
（３）経由地設定（追加）
図３（ａ）の画面表示からジョイスティックで「現在のルートに追加」ボタン２０２が選択されると、図４（ａ）の画面表示となる。図４（ａ）の画面からジョイスティックで決定を指示すると、図４（ｂ）に示すように、経由地追加画面２０３が表示される。図４（ｂ）の拡大図を図５に示す。
【００１６】
図５において、経由地追加画面２０３には、左側に上から、出発地マーク２０３Ｓ、経由地マークである星印、目的地マーク２０３Ｄが表示されている。また、その右側の欄には、経由地追加欄２０３ａ〜２０３ｆが表示されている。図５のように星印ＳＭを所定の地点に位置合わせし、ジョイスティックにより経由地追加欄２０３ａ〜２０３ｆのいずれかを選択する。たとえば、経由地追加欄２０３ａを選択すると、図６（ａ）に示すように、経由地追加欄２０３ａがハイライト表示される。その後、ジョイスティックにより経由地追加欄２０３ａを決定すると、図６（ｂ）に示すように、星印ＳＭの地点名（○×△○）が経由地追加欄２０３ａ欄に表示されるとともに、制御回路３の経由地メモリの対応領域に地点名（○×△○）が格納される。そして、図４（ｃ）に示すように、地図上では白抜きの星印ＳＭＷが表示される。なお、白抜き星印ＳＭＷの中に記された「１」は、経由地追加欄２０３ａの経由地１を表す。
【００１７】
図７（ａ）に示すように、経由地追加欄２０３ａ〜２０３ｆがすべて入力済みの場合でも、たとえば、経由地追加欄２０３ｂの地点を変更することができる。すなわち、ジョイスティックで地図をスクロールして経由地追加欄２０３ｂに格納する地点、たとえば×○○に星印を合わせる。その上で、図７（ａ）に示すように、ジョイスティックにより経由地追加欄２０３ｂの地点名×××を選択してハイライト表示させて、ジョイスティックで決定する。この操作により、経由地追加欄２０３ｂの地点名が図７（ｂ）に示すように×○○に変更される。同時に、制御回路３の経由地メモリの対応領域の地点名データ（×××）が地点名データ（×○○）に更新される。
【００１８】
図４（ａ）のように経由地を追加する画面表示では、図４（ｄ）にも拡大して示す縮尺ボタン２０４を操作することにより、地図表示を縮小、拡大することができる。図４（ｄ）の縮尺ボタン２０４により、８段階に縮尺を変更することができる。「詳細」を選択するともっとも縮尺が小さい地図表示となり、詳細な地図が表示される。反対に、「広域」を選択するともっとも縮尺が大きい地図表示となり、広範囲に地図が表示される。
【００１９】
出発地と目的地との間に経由地を設定する場合、どの地点を経由地とするかは種々の要因で決定される。しかし、表示画面内に出発地と目的地が同時に表示されていない場合には、経由地の決定が難しい場合がある。とくに不慣れなルート中に経由地を設定する場合である。この場合、縮尺ボタン２０４により地図を縮小、すなわち広域側の縮尺に変更することにより、表示画面内に出発地と目的地を同時に表示した状態とする。したがって、出発地と目的地に対する経由地の相対位置関係が把握しやすくなり、経由地設定作業が容易となる。
【００２０】
図８は、このような経由地追加手順を説明するフローチャートである。この処理手順は、制御回路３が実行する制御プログラムの形態でＲＯＭ１２に格納されている。ステップＳ１において地図表示処理を行う。地図表示処理とは、表示モニタ８上に自車位置を中心とした道路地図を表示し、車両が所定距離走行するごとに地図をスクロールして自車位置マークを道路上で移動させる表示処理と、ジョイスティックの操作により自車位置マークに無関係に地図をスクロールする表示処理である。また、地図表示処理には、縮尺ボタン操作にしたがって地図表示を縮小、拡大する縮尺変更処理も含まれる。
【００２１】
ステップＳ２において、「行き先設定」ボタン２０１が選択されたと判定されるとステップＳ３へ進む。「行き先設定」ボタン２０１が選択されるまではステップＳ１で地図表示処理が続行される。「行き先設定」ボタン２０１が選択されると、図２（ａ）に示す星印ＳＭが表示モニタ８の画面中心に表示される。
【００２２】
ステップＳ３において、地図上の特定の地点が指示されて決定された否かを判定する。たとえば、地図をスクロールして画面の中心位置の星印ＳＭを特定の地点に位置合わせして決定すると、ステップＳ３が肯定判定されてステップＳ４に進む。ステップＳ４で新規目的地の設定と判定されると、ステップＳ５に進む。制御回路３のメモリの目的地に対応する領域に地点名が記憶されていない場合にはステップＳ４が肯定される。ステップＳ５において、現在設定されている目的地/経由地をすべて消去する。すなわち、制御回路３のメモリの目的地/経由地に対応する領域に記憶されている地点名をすべて消去する。そして、ステップＳ６において、スクロール地点（図２（ａ）の星印ＳＭの地点）を新規目的地として設定する。すなわち、制御回路３のメモリの目的地に対応する領域に星印の地点名を記憶する。ステップＳ４において、新規目的地設定ではないと判定されると、ステップＳ７に進み、経由地追加画面を表示する。制御回路３のメモリの目的地に対応する領域に地点名が記憶されている場合にはステップＳ４が否定される。
【００２３】
ステップＳ８において、縮尺ボタン２０４が操作されたと判定されると、ステップＳ９において、現在表示している地図の縮尺を変更してステップＳ７に戻る。ステップＳ８で縮尺ボタン２０４の操作が判定されない場合には、ステップＳ１０に進む。ステップＳ１０では、ジョイスティックによりたとえば経由地追加画面２０３の追加欄２０３ａを選択して決定したか否かを判定する。ステップＳ１０が肯定判定されると、ステップＳ１１において、経由地追加欄２０３ａに地点名が表示される（図６（ｂ）参照）とともに、同時に、制御回路３のメモリの経由地に対応する領域に地点名が格納される。すでに地点名が記憶されている場合には、新たな地点名で更新する（図７（ｂ）参照）。
【００２４】
本発明によるカーナビゲーション装置では、以上のようにして経由地を追加するようにした。したがって、従来のように地図表示を中断してルート編集画面を表示し、このルート編集画面において経由地の追加を行う必要がなく、ルート上の経由地を追加する際の操作性が向上する。また、経由地追加作業中にも地図の縮尺を変更できるようにしたので、出発地と目的地を一画面表示し、両者の間にある経由地の特定作業が容易になる。とくに不慣れなルートでの経由地追加作業がきわめて簡単になる。
【００２５】
なお、以上説明したカーナビゲーション装置では、従来技術で説明したような、地図表示を中断してルート編集画面を表示し、このルート編集画面において経由地の追加を行うこともできる。
【００２６】
図９はそのルート編集画面で経由地を追加する手順を説明する図である。表示モニタ８の上欄ガイダンスの「ルートの確認」をジョイスティックで指示することにより図９（ａ）の画面を表示する。ジョイスティックにより「ルート編集」を選択すると、図９（ｂ）の画面が表示される。ジョイスティックで「追加」を選択して決定すると、図９（ｃ）の画面が表示される。たとえばジョイスティックで「５０音から」を選択して任意の地点名を入力して決定すると、図１０（ａ）に示すように、入力した地点名周辺の地図が表示されるとともに、画面中央に星印ＳＭが表示される。
【００２７】
図１０（ａ）の画面上の星印ＳＭをジョイスティックで移動して位置を合わせ、決定すると、図１０（ｂ）に示すように、画面の上欄には、「経由地１  ○○○○○付近」と表示され、画面の下欄には、「経由地１に設定しました」と表示される。同時に、制御回路３の経由地メモリの対応領域に地点名が格納される。そして、図１０（ｃ）の画面表示に切り換わり、出発地のすぐ下の経由地１の表示欄３０１に「○○○○○付近」が表示される。
【００２８】
このようにして、地図表示をいったん中断したルート編集画面からも、経由地の追加設定が可能である。したがって、ナビゲーション使用状況に合わせて、地図画面とルート編集画面の双方から経由地の追加操作が可能となり、使い勝手が向上する。
【００２９】
上記実施の形態では、カーナビゲーション装置の制御回路３が実行する制御プログラムはＲＯＭ１２に格納されている例で説明したが、この内容に限定する必要はない。制御プログラムやそのインストールプログラムをＣＤ−ＲＯＭ１４などの記録媒体で提供してもよい。
【００３０】
さらに、それらのプログラムをインターネットなどに代表される通信回線などの伝送媒体を介して提供することも可能である。すなわち、プログラムを、伝送媒体を搬送する搬送波上の信号に変換して送信することも可能である。図１１はその様子を示す図である。カーナビゲーション装置２１は上記に説明したカーナビゲーション装置であり、通信回線２２との接続機能を有する。コンピュータ２３はカーナビゲーション装置２１用の制御プログラムを提供するサーバーコンピュータであり、そのプログラムが格納されている。通信回線２２は、インターネット、パソコン通信などの通信回線、あるいは専用通信回線などである。通信回線２２は、電話回線や携帯電話などの無線電話回線などを含む。
【００３１】
なお、上述の制御プログラムをパソコン上で実行させてカーナビゲーション装置を実現するようにしてもよい。その場合、現在地検出装置１などはパソコンの所定のＩ／Ｏポートなどに接続するようにすればよい。
【００３２】
なお、制御プログラムには、入力された出発地と経由地と目的地とに基づいて経路を探索する経路探索手順と、経由地追加が指示されたことを判別する追加判別手順と、表示装置に地図が表示されているときに経由地追加の指示が判別されると、地図とともに経由地追加画面を合わせて表示する表示手順とを有する経路探索プログラムが含まれている。また、この経路探索プログラムには、地図上で特定の地点が指示されたことを判別する指示判別手順と、経由地追加画面に設けられた複数の経由地追加欄のいずれが選択されたかを判別する選択判別手順と、表示装置に地図と経由地追加画面とを表示したまま、指示判別手順で判別された特定の地点を、選択判別手順で判別された経由地追加欄に追加する追加制御手順とが含まれている。さらに、経路探索プログラムには、地図の縮尺変更の指示を判別する縮尺指示判別手段と、表示装置に前記地図と経由地追加画面とを表示している際に縮尺指示判別手段が縮尺変更の指示を判別したとき、表示装置に表示されている地図の縮尺を変更する縮尺変更手順とが含まれている。
【００３３】
以上で説明した各実施の形態や各種の変形例はあくまで一例であり、発明の特徴が損なわれない限り、本発明はこれらの内容に限定されない。
【符号の説明】
【００３４】
１  現在地検出装置
２  地図記憶メモリ
３  制御回路
４  入力装置
７  画像メモリ
８  表示モニタ
１２  ＲＯＭ
１３  ＲＡＭ
１４  ＣＤ−ＲＯＭ
【図１】
2011203274.tif 000003
【図２】
2011203274.tif 000004
【図３】
2011203274.tif 000005
【図４】
2011203274.tif 000006
【図５】
2011203274.tif 000007
【図６】
2011203274.tif 000008
【図７】
2011203274.tif 000009
【図８】
2011203274.tif 000010
【図９】
2011203274.tif 000011
【図１０】
2011203274.tif 000012
【図１１】
2011203274.tif 000013
【手続補正書】
【提出日】平成23年7月25日(2011.7.25)
【手続補正１】
【補正対象書類名】特許請求の範囲
【補正対象項目名】全文
【補正方法】変更
【補正の内容】
【特許請求の範囲】
【請求項１】
出発地から経由地を経由して目的地に到る経路を探索するナビゲーション装置において、
表示手段と、
前記表示手段に表示される地図画面上から地点を指示する地点指示手段と、
少なくとも一つの経由地追加欄を含む経由地追加画面を、前記地点指示手段により指示された地点が表示されている地図画面上に表示させる表示制御手段と、
前記経由地追加画面から、いずれかの経由地追加欄を選択する追加欄選択手段と、
前記追加欄選択手段による前記経由地追加欄の選択に応じて、前記地点指示手段により指示された地点を前記経由地に設定する経由地設定手段と、
を備え、
（１）前記追加欄選択手段が未選択の経由地追加欄を選択した場合、前記表示制御手段が前記地点指示手段により指示された地点の地点名を当該経由地追加欄に表示して、前記経由地設定手段が当該地点を前記経由地に設定し、
（２）前記追加欄選択手段が既選択の経由地追加欄を選択した場合、前記表示制御手段が当該経由地追加欄に表示される地点名を前記地点指示手段により指示された地点名に変更し、前記経由地設定手段が当該地点を前記経由地に設定することを特徴とするナビゲーション装置。
【請求項２】
請求項１に記載のナビゲーション装置において、
前記表示制御手段は、前記追加欄選択手段により選択された経由地追加欄に前記地点指示手段により指示された地点の地点名を表示させるとき、前記追加欄選択手段により選択されなかった経由地追加欄の表示内容は変更しないことを特徴とするナビゲーション装置。
【請求項３】
請求項１または２に記載のナビゲーション装置において、
前記表示制御手段は、前記地点指示手段により指示された地点の地点名が前記追加欄選択手段により選択された経由地追加欄に表示されたとき、地図画面上に表示されている当該地点に、当該地点の地点名が表示されている経由地追加欄に対応したマークを表示させることを特徴とするナビゲーション装置。
【請求項４】
入力装置と表示装置とが接続されたコンピュータを、
前記表示装置に地図画面を表示させる地図画面表示手段と、
前記入力装置により前記地図画面上から地点が指示されたことを判別する地点指示判別手段と、
少なくとも一つの経由地追加欄を含む経由地追加画面を、前記地点指示判別手段により判別された地点が表示されている地図画面上に表示させる表示制御手段と、
前記入力装置により前記経由地追加画面からいずれかの経由地追加欄が選択されたことを判別する追加欄選択判別手段と、
前記追加欄選択判別手段により判別された前記経由地追加欄の選択に応じて、前記地点指示判別手段により指示が判別された地点を前記経由地に設定する経由地設定手段と、
として機能させるための経路探索プログラムであって、
（１）前記追加欄選択判別手段が未選択状態の経由地追加欄の選択を判別した場合、前記地点指示判別手段により指示が判別された地点の地点名を前記表示制御手段が当該経由地追加欄に表示して、前記経由地設定手段が当該地点を前記経由地に設定し、
（２）前記追加欄選択判別手段が既選択状態の経由地追加欄を選択を判断した場合、前記表示制御手段が当該経由地追加欄に表示する地点名を、前記地点指示判別手段により指示が判別された地点の地点名に変更し、前記経由地設定手段が当該地点を前記経由地に設定することを特徴とする経路探索プログラム。
【請求項５】
請求項４に記載の経路探索プログラムにおいて、
前記表示制御手段は、前記追加欄選択判別手段により選択を判別された経由地追加欄に前記地点指示判別手段により指示を判別された地点の地点名を表示させるとき、前記追加欄選択判別手段により選択を判別されなかった経由地追加欄の表示内容は変更しないことを特徴とする経路探索プログラム。
【請求項６】
請求項４または５に記載の経路探索プログラムにおいて、
前記表示制御手段は、前記地点指示判別手段により指示を判別された地点の地点名が前記追加欄選択判別手段により選択を判別された経由地追加欄に表示されたとき、地図画面上に表示されている当該地点に、当該地点の地点名が表示されている経由地追加欄に対応したマークを表示させることを特徴とする経路探索プログラム。
【手続補正２】
【補正対象書類名】明細書
【補正対象項目名】全文
【補正方法】変更
【補正の内容】
【発明の詳細な説明】
【技術分野】
【０００１】
本発明は、経路探索により設定されたルートにしたがって車両をナビゲーションするナビゲーション装置および経路探索プログラムに関する。
【背景技術】
【０００２】
車両位置周辺の道路地図を表示する地図表示機能、出発地から目的地までの推奨経路を演算する経路演算機能、演算された推奨経路に基づいて経路誘導を行う経路誘導機能などを備えたカーナビゲーション装置が知られている。経路演算機能は、出発地と目的地との間に新たに経由地を追加する経由地追加機能も備えている。
【先行技術文献】
【特許文献】
【０００３】
【特許文献１】特開平１０−１９７２５９号公報
【発明の概要】
【発明が解決しようとする課題】
【０００４】
従来の経由地追加機能では、地図表示を中断してルート編集画面を表示し、このルート編集画面において経由地の追加を行っている。そのため、ルート上の経由地を追加する際の操作性が悪いという問題がある。とくに不慣れなルートでは追加する経由地の特定がきわめて煩雑である。
【課題を解決するための手段】
【０００５】
本発明のナビゲーション装置は、出発地から経由地を経由して目的地に到る経路を探索するナビゲーション装置において、表示手段と、表示手段に表示される地図画面上から地点を指示する地点指示手段と、少なくとも一つの経由地追加欄を含む経由地追加画面を、地点指示手段により指示された地点が表示されている地図画面上に表示させる表示制御手段と、経由地追加画面から、いずれかの経由地追加欄を選択する追加欄選択手段と、追加欄選択手段による経由地追加欄の選択に応じて、地点指示手段により指示された地点を経由地に設定する経由地設定手段と、を備え、（１）追加欄選択手段が未選択の経由地追加欄を選択した場合、表示制御手段が地点指示手段により指示された地点の地点名を当該経由地追加欄に表示して、経由地設定手段が当該地点を経由地に設定し、（２）追加欄選択手段が既選択の経由地追加欄を選択した場合、表示制御手段が当該経由地追加欄に表示される地点名を地点指示手段により指示された地点名に変更し、経由地設定手段が当該地点を経由地に設定することを特徴とする。
【発明の効果】
【０００６】
本発明は、以上説明したように構成しているので、次のような効果を奏する。従来のように地図表示を中断してルート編集画面を表示し、このルート編集画面において経由地の追加を行う必要がなく、ルート上の経由地を追加する際の操作性が向上する。また、経由地追加作業中にも地図の縮尺を変更できるようにしたので、出発地と目的地を一画面表示し、両者の間にある経由地の特定作業が容易になる。とくに不慣れなルートでの経由地追加作業がきわめて簡単になる。
【図面の簡単な説明】
【０００７】
【図１】本発明の一実施の形態であるカーナビゲーション装置のブロック図
【図２】目的地を設定する手順を説明する画面表示
【図３】経由地を追加する手順を説明する画面表示
【図４】経由地を追加する手順を説明する画面表示
【図５】図４（ｂ）の拡大図
【図６】経由地追加画面の詳細を示す図
【図７】経由地追加の手順を説明する画面表示
【図８】経由地追加の手順を説明するフローチャート
【図９】ルート編集画面からの経由地追加の手順を説明する画面表示
【図１０】ルート編集画面からの経由地追加の手順を説明する画面表示
【図１１】プログラムを伝送媒体を介して提供する場合のブロック図である。
【発明を実施するための形態】
【０００８】
図１は本発明の一実施の形態であるカーナビゲーション装置のブロック図である。カーナビゲーション装置は、車両の走行に関する情報を提示する機能、具体的には、車両位置周辺の道路地図を表示する地図表示機能、出発地から目的地までの推奨経路を演算する経路演算機能、演算された推奨経路に基づいて経路誘導を行う経路誘導機能などを備えている。いわゆるナビゲーションあるいは道路案内などを行う装置である。
【０００９】
図１において、１は車両の現在地を検出する現在地検出装置であり、例えば車両の進行方位を検出する方位センサ１ａ、車速を検出する車速センサ１ｂ、ＧＰＳ（Global Positioning System）衛星からのＧＰＳ信号を検出するＧＰＳセンサ１ｃ等から成る。２は道路地図データを格納する地図記憶メモリであり、道路地図データが格納された記録媒体であるＣＤ−ＲＯＭ１４およびその読み出し装置から成る。記録媒体はＣＤ−ＲＯＭに限定されず、磁気テープやＤＶＤやその他のあらゆる記録媒体であってもよい。
【００１０】
３は装置全体を制御する制御回路であり、マイクロプロセッサおよびその周辺回路から成る。制御回路３は、ＲＡＭ１３を作業エリアとしてＲＯＭ１２に格納された制御プログラムを実行して後述する各種の制御を行う。４は車両の目的地等を入力する各種スイッチを有する入力装置である。カーソルの移動や画面のスクロールを指示するジョイスティックを含む。なお、入力装置４をリモコン方式としてもよい。また、画面内にタッチパネルスイッチを設けてもよい。
【００１１】
７は表示モニタ８に表示するための画像データを格納する画像メモリであり、この画像データは道路地図描画用データや各種の図形データなどから作成される。画像メモリ７に格納された画像データは適宜読み出されて表示モニタ８に表示される。表示モニタ８上の道路地図は、表示モニタ８上に表示された縮尺ボタンを操作することにより、たとえば８段階に縮小、拡大することができる。すなわち、所望の縮尺で地図を表示することができる。
【００１２】
この発明によるナビゲーション装置には、入力された出発地と目的地とに基づいて経路を探索する経路探索機能も備えられている。出発地は車両の現在地であり、目的地と経由地は任意に設定することができる。経路探索機能は、表示モニタ８に表示されている経由地追加画面から経由地を追加する経由地追加機能も含む。経由地追加画面は複数の経由地追加欄を備え、表示モニタ８上に地図を表示しながら表示される。表示モニタ８に地図と経由地追加画面とを表示し、たとえばジョイスティックにより地図上で特定の地点を指示する。その上で、経由地追加欄のいずれかを指定すると、特定された地点名が追加欄に表示されて経由地として追加される。
【００１３】
このように構成されるカーナビゲーション装置は、現在地検出装置１により取得した自車位置情報および地図記憶メモリ２に格納されている道路地図データに基づき各種のナビゲーションを行う。例えば、自車位置近辺の道路地図および自車位置を表示モニタ８に表示し、経路探索によって得られた経路に沿ってドライバーを誘導する。
【００１４】
次に、本実施の形態のカーナビゲーション装置における目的地設定、経由地設定追加手順について図２〜図１０を参照して説明する。
（１）目的地設定、
表示モニタ８の上欄ガイダンスの「行き先設定」をジョイスティックで指示することにより図２（ａ）の画面を表示する。ジョイスティックにより画面をスクロールし、星印ＳＭを目的地に合わせる。ジョイスティックにより位置の決定を指示すると、目的地が未設定の場合には、図２（ｂ）に示すように、星印の地点に目的地マークとしてチェッカフラグＣＦを表示する。
【００１５】
（２）目的地変更
表示モニタ８の上欄ガイダンスの「行き先設定」をジョイスティックで指示することにより図２（ａ）の画面を表示する。ジョイスティックにより画面をスクロールし、星印ＳＭを目的地に合わせる。ジョイスティックにより位置の決定を指示すると、上述したように目的地が設定されている場合には、図３（ａ）の画面表示となる。図３（ａ）の画面には、「新しい行き先に設定」ボタン２０１と「現在のルートに追加」ボタン２０２が表示される。ジョイスティックにより「新しい行き先に設定」ボタン２０１を選択して決定を指示すると、図３（ｂ）の画面表示となる。これにより、先に設定されていた目的地が新しい目的地に書き換えられる。制御回路３のメモリの目的地に対応する記憶領域のデータも書き換えられる。
【００１６】
（３）経由地設定（追加）
図３（ａ）の画面表示からジョイスティックで「現在のルートに追加」ボタン２０２が選択されると、図４（ａ）の画面表示となる。図４（ａ）の画面からジョイスティックで決定を指示すると、図４（ｂ）に示すように、経由地追加画面２０３が表示される。図４（ｂ）の拡大図を図５に示す。
【００１７】
図５において、経由地追加画面２０３には、左側に上から、出発地マーク２０３Ｓ、経由地マークである星印、目的地マーク２０３Ｄが表示されている。また、その右側の欄には、経由地追加欄２０３ａ〜２０３ｆが表示されている。図５のように星印ＳＭを所定の地点に位置合わせし、ジョイスティックにより経由地追加欄２０３ａ〜２０３ｆのいずれかを選択する。たとえば、経由地追加欄２０３ａを選択すると、図６（ａ）に示すように、経由地追加欄２０３ａがハイライト表示される。その後、ジョイスティックにより経由地追加欄２０３ａを決定すると、図６（ｂ）に示すように、星印ＳＭの地点名（○×△○）が経由地追加欄２０３ａ欄に表示されるとともに、制御回路３の経由地メモリの対応領域に地点名（○×△○）が格納される。そして、図４（ｃ）に示すように、地図上では白抜きの星印ＳＭＷが表示される。なお、白抜き星印ＳＭＷの中に記された「１」は、経由地追加欄２０３ａの経由地１を表す。
【００１８】
図７（ａ）に示すように、経由地追加欄２０３ａ〜２０３ｆがすべて入力済みの場合でも、たとえば、経由地追加欄２０３ｂの地点を変更することができる。すなわち、ジョイスティックで地図をスクロールして経由地追加欄２０３ｂに格納する地点、たとえば×○○に星印を合わせる。その上で、図７（ａ）に示すように、ジョイスティックにより経由地追加欄２０３ｂの地点名×××を選択してハイライト表示させて、ジョイスティックで決定する。この操作により、経由地追加欄２０３ｂの地点名が図７（ｂ）に示すように×○○に変更される。同時に、制御回路３の経由地メモリの対応領域の地点名データ（×××）が地点名データ（×○○）に更新される。
【００１９】
図４（ａ）のように経由地を追加する画面表示では、図４（ｄ）にも拡大して示す縮尺ボタン２０４を操作することにより、地図表示を縮小、拡大することができる。図４（ｄ）の縮尺ボタン２０４により、８段階に縮尺を変更することができる。「詳細」を選択するともっとも縮尺が小さい地図表示となり、詳細な地図が表示される。反対に、「広域」を選択するともっとも縮尺が大きい地図表示となり、広範囲に地図が表示される。
【００２０】
出発地と目的地との間に経由地を設定する場合、どの地点を経由地とするかは種々の要因で決定される。しかし、表示画面内に出発地と目的地が同時に表示されていない場合には、経由地の決定が難しい場合がある。とくに不慣れなルート中に経由地を設定する場合である。この場合、縮尺ボタン２０４により地図を縮小、すなわち広域側の縮尺に変更することにより、表示画面内に出発地と目的地を同時に表示した状態とする。したがって、出発地と目的地に対する経由地の相対位置関係が把握しやすくなり、経由地設定作業が容易となる。
【００２１】
図８は、このような経由地追加手順を説明するフローチャートである。この処理手順は、制御回路３が実行する制御プログラムの形態でＲＯＭ１２に格納されている。ステップＳ１において地図表示処理を行う。地図表示処理とは、表示モニタ８上に自車位置を中心とした道路地図を表示し、車両が所定距離走行するごとに地図をスクロールして自車位置マークを道路上で移動させる表示処理と、ジョイスティックの操作により自車位置マークに無関係に地図をスクロールする表示処理である。また、地図表示処理には、縮尺ボタン操作にしたがって地図表示を縮小、拡大する縮尺変更処理も含まれる。
【００２２】
ステップＳ２において、「行き先設定」ボタン２０１が選択されたと判定されるとステップＳ３へ進む。「行き先設定」ボタン２０１が選択されるまではステップＳ１で地図表示処理が続行される。「行き先設定」ボタン２０１が選択されると、図２（ａ）に示す星印ＳＭが表示モニタ８の画面中心に表示される。
【００２３】
ステップＳ３において、地図上の特定の地点が指示されて決定された否かを判定する。たとえば、地図をスクロールして画面の中心位置の星印ＳＭを特定の地点に位置合わせして決定すると、ステップＳ３が肯定判定されてステップＳ４に進む。ステップＳ４で新規目的地の設定と判定されると、ステップＳ５に進む。制御回路３のメモリの目的地に対応する領域に地点名が記憶されていない場合にはステップＳ４が肯定される。ステップＳ５において、現在設定されている目的地/経由地をすべて消去する。すなわち、制御回路３のメモリの目的地/経由地に対応する領域に記憶されている地点名をすべて消去する。そして、ステップＳ６において、スクロール地点（図２（ａ）の星印ＳＭの地点）を新規目的地として設定する。すなわち、制御回路３のメモリの目的地に対応する領域に星印の地点名を記憶する。ステップＳ４において、新規目的地設定ではないと判定されると、ステップＳ７に進み、経由地追加画面を表示する。制御回路３のメモリの目的地に対応する領域に地点名が記憶されている場合にはステップＳ４が否定される。
【００２４】
ステップＳ８において、縮尺ボタン２０４が操作されたと判定されると、ステップＳ９において、現在表示している地図の縮尺を変更してステップＳ７に戻る。ステップＳ８で縮尺ボタン２０４の操作が判定されない場合には、ステップＳ１０に進む。ステップＳ１０では、ジョイスティックによりたとえば経由地追加画面２０３の追加欄２０３ａを選択して決定したか否かを判定する。ステップＳ１０が肯定判定されると、ステップＳ１１において、経由地追加欄２０３ａに地点名が表示される（図６（ｂ）参照）とともに、同時に、制御回路３のメモリの経由地に対応する領域に地点名が格納される。すでに地点名が記憶されている場合には、新たな地点名で更新する（図７（ｂ）参照）。
【００２５】
本発明によるカーナビゲーション装置では、以上のようにして経由地を追加するようにした。したがって、従来のように地図表示を中断してルート編集画面を表示し、このルート編集画面において経由地の追加を行う必要がなく、ルート上の経由地を追加する際の操作性が向上する。また、経由地追加作業中にも地図の縮尺を変更できるようにしたので、出発地と目的地を一画面表示し、両者の間にある経由地の特定作業が容易になる。とくに不慣れなルートでの経由地追加作業がきわめて簡単になる。
【００２６】
なお、以上説明したカーナビゲーション装置では、従来技術で説明したような、地図表示を中断してルート編集画面を表示し、このルート編集画面において経由地の追加を行うこともできる。
【００２７】
図９はそのルート編集画面で経由地を追加する手順を説明する図である。表示モニタ８の上欄ガイダンスの「ルートの確認」をジョイスティックで指示することにより図９（ａ）の画面を表示する。ジョイスティックにより「ルート編集」を選択すると、図９（ｂ）の画面が表示される。ジョイスティックで「追加」を選択して決定すると、図９（ｃ）の画面が表示される。たとえばジョイスティックで「５０音から」を選択して任意の地点名を入力して決定すると、図１０（ａ）に示すように、入力した地点名周辺の地図が表示されるとともに、画面中央に星印ＳＭが表示される。
【００２８】
図１０（ａ）の画面上の星印ＳＭをジョイスティックで移動して位置を合わせ、決定すると、図１０（ｂ）に示すように、画面の上欄には、「経由地１  ○○○○○付近」と表示され、画面の下欄には、「経由地１に設定しました」と表示される。同時に、制御回路３の経由地メモリの対応領域に地点名が格納される。そして、図１０（ｃ）の画面表示に切り換わり、出発地のすぐ下の経由地１の表示欄３０１に「○○○○○付近」が表示される。
【００２９】
このようにして、地図表示をいったん中断したルート編集画面からも、経由地の追加設定が可能である。したがって、ナビゲーション使用状況に合わせて、地図画面とルート編集画面の双方から経由地の追加操作が可能となり、使い勝手が向上する。
【００３０】
上記実施の形態では、カーナビゲーション装置の制御回路３が実行する制御プログラムはＲＯＭ１２に格納されている例で説明したが、この内容に限定する必要はない。制御プログラムやそのインストールプログラムをＣＤ−ＲＯＭ１４などの記録媒体で提供してもよい。
【００３１】
さらに、それらのプログラムをインターネットなどに代表される通信回線などの伝送媒体を介して提供することも可能である。すなわち、プログラムを、伝送媒体を搬送する搬送波上の信号に変換して送信することも可能である。図１１はその様子を示す図である。カーナビゲーション装置２１は上記に説明したカーナビゲーション装置であり、通信回線２２との接続機能を有する。コンピュータ２３はカーナビゲーション装置２１用の制御プログラムを提供するサーバーコンピュータであり、そのプログラムが格納されている。通信回線２２は、インターネット、パソコン通信などの通信回線、あるいは専用通信回線などである。通信回線２２は、電話回線や携帯電話などの無線電話回線などを含む。
【００３２】
なお、上述の制御プログラムをパソコン上で実行させてカーナビゲーション装置を実現するようにしてもよい。その場合、現在地検出装置１などはパソコンの所定のＩ／Ｏポートなどに接続するようにすればよい。
【００３３】
なお、制御プログラムには、入力された出発地と経由地と目的地とに基づいて経路を探索する経路探索手順と、経由地追加が指示されたことを判別する追加判別手順と、表示装置に地図が表示されているときに経由地追加の指示が判別されると、地図とともに経由地追加画面を合わせて表示する表示手順とを有する経路探索プログラムが含まれている。また、この経路探索プログラムには、地図上で特定の地点が指示されたことを判別する指示判別手順と、経由地追加画面に設けられた複数の経由地追加欄のいずれが選択されたかを判別する選択判別手順と、表示装置に地図と経由地追加画面とを表示したまま、指示判別手順で判別された特定の地点を、選択判別手順で判別された経由地追加欄に追加する追加制御手順とが含まれている。さらに、経路探索プログラムには、地図の縮尺変更の指示を判別する縮尺指示判別手段と、表示装置に前記地図と経由地追加画面とを表示している際に縮尺指示判別手段が縮尺変更の指示を判別したとき、表示装置に表示されている地図の縮尺を変更する縮尺変更手順とが含まれている。
【００３４】
以上で説明した各実施の形態や各種の変形例はあくまで一例であり、発明の特徴が損なわれない限り、本発明はこれらの内容に限定されない。
【符号の説明】
【００３５】
１  現在地検出装置
２  地図記憶メモリ
３  制御回路
４  入力装置
７  画像メモリ
８  表示モニタ
１２  ＲＯＭ
１３  ＲＡＭ
１４  ＣＤ−ＲＯＭ